(57)【要約】【課題】どの商品を発注するかは、店員の長年の経験によるところが多く、結果として発注し忘れが発生することがある。【解決手段】商品の発注情報を記憶する発注情報記憶部と、前記発注情報記憶部に記憶された発注情報のうち、特定の商品の発注情報に対応して発注必須品であることを示す発注必須情報を記憶する必須情報記憶部と、前記発注情報記憶部に記憶された発注情報を表示部に表示する際、前記必須情報記憶部に記憶された発注必須情報で示された前記発注必須品に対応する前記発注情報の表示態様を前記発注必須品以外の発注情報の表示態様と異なるように表示させる表示制御手段と、を備える。【選択図】図４
2014170460.tif 000002
【特許請求の範囲】
【請求項１】
商品の発注情報を記憶する発注情報記憶部と、
前記発注情報記憶部に記憶された発注情報のうち、特定の商品の発注情報に対応して発注必須品であることを示す発注必須情報を記憶する必須情報記憶部と、
前記発注情報記憶部に記憶された発注情報を表示部に表示する際、前記必須情報記憶部に記憶された前記発注必須情報で示された前記発注必須品に対応する前記発注情報の表示態様を前記発注必須品以外の発注情報の表示態様と異なるように表示させる表示制御手段と、
を備えた商品発注装置。
【請求項２】
前記発注必須情報に基づき発注必須品が含まれているか否かを判断する判断手段をさらに備え、
前記表示制御手段は、前記判断手段が前記発注必須品が含まれていると判断した場合に前記必須情報記憶部に記憶された発注必須情報に基づく前記発注必須品に対応する前記発注情報の表示態様を前記発注必須品以外の発注情報の表示態様と異なるように表示させる
請求項１に記載の商品発注装置。
【請求項３】
前記表示制御手段は、前記発注情報に対応する商品の推奨する発注数を前記発注情報に付記して表示する
請求項１または２に記載の商品発注装置。
【請求項４】
前記表示制御手段は、複数の前記発注情報を表示する発注情報一覧部と、前記発注情報一覧部に表示された前記複数の発注情報のうちの一つについて詳細な発注情報を入力可能に表示する発注情報入力部とを前記表示部に表示する
請求項１から３のいずれか一に記載の商品発注装置。
【請求項５】
前記表示制御手段によって表示された発注情報に基づいて商品の発注処理を実行する発注手段、
をさらに備えた請求項１から４のいずれか一に記載の商品発注装置。
【請求項６】
商品の発注情報を記憶する発注情報記憶部と、前記発注情報記憶部に記憶された発注情報のうち、特定の商品の発注情報に対応して発注必須品であることを示す発注必須情報を記憶する必須情報記憶部と、を備えたコンピュータに、
前記発注情報記憶部に記憶された発注情報を表示部に表示する際、前記必須情報記憶部に記憶された発注必須情報で示された前記発注必須品に対応する前記発注情報の表示態様を前記発注必須品以外の発注情報の表示態様と異なるように表示させる表示制御手段と、
を実現させるためのプログラム。
【発明の詳細な説明】
【技術分野】
【０００１】
本発明の実施の形態は、商品発注装置およびプログラムに関する。
【背景技術】
【０００２】
コンビニエンスストアやスーパーマーケット等の店舗では、店舗で販売する商品を取り揃えるために発注業務を実行する。店舗での商品の発注は、店舗の商品が記憶された商品発注装置を使用して発注業務を行う。店員は、店舗内の商品の売れ方を見ながら発注する商品を検討して、発注業務を行っている。
【発明の概要】
【発明が解決しようとする課題】
【０００３】
しかしながら、どの商品を発注するかは、店員の長年の経験によるところが多く、結果として発注し忘れが発生することがある。
【課題を解決するための手段】
【０００４】
実施の形態の商品発注装置は、商品の発注情報を記憶する発注情報記憶部と、前記発注情報記憶部に記憶された発注情報のうち、特定の商品の発注情報に対応して発注必須品であることを示す発注必須情報を記憶する必須情報記憶部と、前記発注情報記憶部に記憶された発注情報を表示部に表示する際、前記必須情報記憶部に記憶された発注必須情報で示された前記発注必須品に対応する前記発注情報の表示態様を前記発注必須品以外の発注情報の表示態様と異なるように表示させる表示制御手段と、を備える。
【０００５】
また、実施の形態のプログラムは、商品の発注情報を記憶する発注情報記憶部と、前記発注情報記憶部に記憶された発注情報のうち、特定の商品の発注情報に対応して発注必須品であることを示す発注必須情報を記憶する必須情報記憶部と、を備えたコンピュータに、前記発注情報記憶部に記憶された発注情報を表示部に表示する際、前記必須情報記憶部に記憶された発注必須情報で示された前記発注必須品に対応する前記発注情報の表示態様を前記発注必須品以外の発注情報の表示態様と異なるように表示させる表示制御手段と、を実現させる。
【図面の簡単な説明】
【０００６】
【図１】図１は、本実施形態のシステム全体を示す図である。
【図２】図２は、ＧＯＴの電気的接続を示すブロック図である。
【図３】図３は、ＧＯＴに設けられた発注情報テーブルを示すメモリマップである。
【図４】図４は、ＧＯＴの機能構成を示す機能ブロック図である。
【図５】図５は、ＧＯＴの処理の流れを示すフローチャートである。
【図６】図６は、ＧＯＴの発注画面の一例である。
【図７】図７は、ＧＯＴの発注入力処理の流れを示すフローチャートである。
【発明を実施するための形態】
【０００７】
以下、添付図面を参照して、実施の形態に係る商品発注装置およびプログラムを詳細に説明する。なお、以下に説明する実施の形態によりこの発明が限定されるものではない。
【０００８】
図１は、商品発注装置の一例であるＧＯＴ（Graphic  Operation  Terminal）を含むシステム全体を示す図である。本システムは、本部に設けられたセンターサーバ１と、各店舗に設けられたストアサーバ３と、ＰＯＳ端末（Point  Of  Sales：販売時点管理）６とＧＯＴ５とを備える。センターサーバ１とストアサーバ３とは、ネットワーク２で接続されている。ストアサーバ３は、無線ＬＡＮ（Local  Area  Network）４を介して複数台のＧＯＴ５と接続されている。ストアサーバ３はＬＡＮ７を介して複数台のＰＯＳ端末６と接続している。
【０００９】
センターサーバ１は、各店舗での売上をストアサーバ３から収集して管理する。センターサーバ１は、店舗で販売する商品の価格等の商品情報を作成してストアサーバ３に送信する。センターサーバ１は、後述する発注情報を作成してストアサーバ３に送信する。センターサーバ１は、発注情報を作成する際、必ず発注すべき発注必須品に対する発注情報に、発注必須品であることを示すフラグ情報を付す。
【００１０】
ストアサーバ３は、ＰＯＳ端末６で売り上げられた販売情報を収集して管理し、センターサーバ１に送信する。ストアサーバ３は、商品情報や発注情報をセンターサーバ１から受信する。ストアサーバ３は、受信した商品情報をＰＯＳ端末６に送信する。ストアサーバ３は、受信した発注情報を記憶する。ストアサーバ３は、所定時刻（例えば毎日午前０時）になったら、センターサーバ１から受信した発注情報に基づいてＧＯＴ５が認識可能なＧＯＴ発注情報を作成して記憶する。ストアサーバ３は、ＧＯＴ５から送信された発注情報を受信し、センターサーバ１に送信する。
【００１１】
ＰＯＳ端末６は、顧客との間で、商品販売に係る取引を実行する。ＰＯＳ端末６は、店舗で売り上げられた商品情報や決済情報から販売情報を作成し、ストアサーバ３に送信する。
【００１２】
ＧＯＴ５は、無線ＬＡＮ４を介してストアサーバ３と通信を実行する。ＧＯＴ５は、店舗の商品売場やバックヤードにおいて、商品の在庫管理、販売数管理、商品の発注管理を行う。商品の在庫数情報や、発注情報をストアサーバ３に送信する。
【００１３】
図２は、ＧＯＴ５の電気的接続を示すブロック図である。図２に示すように、ＧＯＴ５は、制御主体となるＣＰＵ（Central  Processing  Unit）１１、各種プログラムを記憶するＲＯＭ（Read  Only  Memory）１２、各種データを展開するＲＡＭ（Random  Access  Memory）１３、各種プログラムを記憶するＨＤＤ等のメモリ部１４等を備えている。ＣＰＵ１１、ＲＯＭ１２、ＲＡＭ１３、メモリ部１４は、互いにデータバス１５を介して接続されている。ＣＰＵ１１とＲＯＭ１２とＲＡＭ１３とメモリ部１４が、制御部１００を構成する。すなわち、制御部１００は、ＣＰＵ１１がＲＯＭ１２やメモリ部１４に記憶されＲＡＭ１３に展開されたプログラムに従って動作することによって、後述する制御処理を実行する。ＲＡＭ１３は、各種情報も記憶する。
【００１４】
また、データバス１５には、操作部１６と表示部１７がコントローラ１８を介して接続されている。また、データバス１５には、無線ＬＡＮＩ／Ｆ（Interface）１９が接続されている。この無線ＬＡＮＩ／Ｆ１９は、無線ＬＡＮ４を介してストアサーバ３に対して情報を送信し、またストアサーバ３から情報やコマンドを受信する。
【００１５】
図３は、メモリ部１４に記憶されＲＡＭ１３に展開される発注情報テーブル３０（発注情報記憶部）のメモリマップである。この発注情報テーブル３０は、商品コード部３１、商品名部３２、画像情報部３３、販売数部３４、在庫数部３５、廃棄数部３６、発注数部３７、必須品部３８、標準品部３９、選択品部４０、他上位部４１、新商品部４２、推奨数部４３、過去データ部４４を有する。
【００１６】
商品コード部３１は、発注する商品を特定する商品コードを記憶している。商品名部３２は、商品コードに対応して商品の商品名を記憶している。画像情報部３３は、商品コードに対応して、商品の画像情報を記憶している。販売数部３４は、商品コードに対応して、当該商品の販売数を記憶している。在庫数部３５は、商品コードに対応して、当該商品の一日の在庫数を記憶する。廃棄数部３６は、商品コードに対応して、当該商品の一日の廃棄数を記憶する。発注数部３７は、商品コードに対応して、当該商品の一日の発注数を記憶している。商品コード、商品名等が発注情報に相当する。
【００１７】
必須品部３８は、商品コードに対応して、当該商品が発注必須品であるか否かを示すフラグ（発注必須情報）を記憶する。フラグが「１」の場合、その商品は、毎回必ず発注すべきである発注必須品を意味する。フラグが「０」の場合、その商品は、必ずしも毎回発注すべき商品ではないことを意味する。
【００１８】
標準品部３９は、商品コードに対応して、当該商品が定番商品であるか否かを示すフラグを記憶する。フラグが「１」の場合、その商品は、定番商品であることを意味する。フラグが「０」の場合、その商品は、定番商品ではないことを意味する。
【００１９】
選択品部４０は、商品コードに対応して、当該商品が特売商品や販売注力品等の選択商品であるか否かを示すフラグを記憶する。フラグが「１」の場合、その商品は、選択商品であることを意味する。フラグが「０」の場合、その商品は、選択商品ではないことを意味する。
【００２０】
他上位部４１は、商品コードに対応して、当該商品が他店舗において売り上げ上位の商品であるか否かを示すフラグを記憶する。フラグが「１」の場合、その商品は、他店舗で売り上げ上位の商品であることを意味する。フラグが「０」の場合、その商品は、他店舗で売り上げ上位の商品ではないことを意味する。
【００２１】
新商品部４２は、商品コードに対応して、当該商品が新たに販売された新商品であるか否かを示すフラグを記憶する。フラグが「１」の場合、その商品は、新商品であることを意味する。フラグが「０」の場合、その商品は、新商品ではないことを意味する。
【００２２】
推奨数部４３は、商品コードに対応して、当該商品を発注する場合の本部が推奨する発注数を記憶する。具体的数値が記憶されている場合はその数値を表示し、「０」が記憶されている場合は数値を表示しない。
【００２３】
過去データ部４４は、商品コードに対応して、当該商品の販売数に影響する天気、気温等を記憶する。また、過去データ部４４は、当該商品の納品数、欠品数についても記憶する。
【００２４】
図４は、ＧＯＴ５の機能構成を示す機能ブロック図である。ＧＯＴ５は、制御部１００がＲＯＭ１２やメモリ部１４に記憶された各種プログラムに従い動作することで、表示制御手段１０１、判断手段１０２、発注手段１０３を実現する。
【００２５】
表示制御手段１０１は、発注情報テーブルに記憶された商品情報等の発注情報を表示部１７に表示する際、必須情報記憶部に記憶された発注必須情報に基づく発注必須品に対応する発注情報の表示態様を発注必須品以外の発注情報の表示態様と異なるように表示させる機能を有する。
【００２６】
判断手段１０２は、発注必須情報に基づき発注必須品が含まれているか否かを判断する機能を有する。
【００２７】
発注手段１０３は、表示制御手段１０１によって表示された発注情報に基づいて商品の発注処理を実行する機能を有する。
【００２８】
図５は、ＧＯＴ５における制御部１００の制御処理の流れを示すフローチャートである。図５において、ＧＯＴ５の制御部１００は、ＧＯＴ発注情報を収集する時刻であるか否かを判断する（ステップＳＰ１１）。ＧＯＴ発注情報を収集する時刻であると判断した場合は（ステップＳＰ１１のＹｅｓ）、制御部１００は、ＧＯＴ発注情報を取得するコマンドをストアサーバ３に送信する（ステップＳＰ１２）。このコマンドを受信したストアサーバ３は、上記作成したＧＯＴ発注情報をコマンドを送信したＧＯＴ５に送信する。制御部１００は、ストアサーバ３からＧＯＴ発注情報を受信したか否かを判断する（ステップＳＰ１３）。受信するまで待機し（ステップＳＰ１３のＮｏ）、受信したと判断した場合は（ステップＳＰ１３のＹｅｓ）、制御部１００は、受信したＧＯＴ発注情報をＲＡＭ１３に記憶する（ステップＳＰ１４）。
【００２９】
制御部１００がＧＯＴ発注情報を収集する時刻でないと判断した場合（ステップＳＰ１１のＮｏ）、制御部１００は、商品の発注業務を行うか否かの判断をする（ステップＳＰ２１）。発注業務は、所定の時刻になると店員がＧＯＴ５を操作して行う。制御部１００は、発注業務を行うと判断した場合は（ステップＳＰ２１のＹｅｓ）、制御部１００は、当該ＧＯＴ５がステップＳＰ１４においてＧＯＴ発注情報を、ＲＡＭ１３に記憶しているか否かを判断する（ステップＳＰ２２）。記憶していると判断した場合は（ステップＳＰ２２のＹｅｓ）、制御部１００は、ＲＡＭ１３に記憶しているＧＯＴ発注情報を読み出す（ステップＳＰ２３）。
【００３０】
次に、制御部１００（判断手段１０２）は、読み出したＧＯＴ発注情報に発注必須品の発注情報が含まれているか否かを判断する（ステップＳＰ２４）。具体的には、制御部１００は、ＧＯＴ発注情報に、発注情報テーブル３０の必須品部３８に記憶されているフラグが「１」の商品情報を含んでいるか否かを判断する。制御部１００は、必須品部３８のフラグが「１」の商品は、発注必須品であると判断する。制御部１００が発注必須品の発注情報が含まれていると判断した場合は（ステップＳＰ２４のＹｅｓ）、制御部１００は、読み出した発注情報を表示部１７に表示する（ステップＳＰ２５）。そして制御部１００（表示制御手段１０１）は、発注必須品の発注情報が含まれている発注必須品の発注情報に対して、図６の説明で後述する当該商品が発注必須品であることを示す必須マーク５７を、当該発注必須品の発注情報に付記する形で表示する（ステップＳＰ２６）。そして制御部１００は、発注情報に対して発注情報に関わる情報を付記して表示部１７に表示する（ステップＳＰ２７）。発注情報に関わる情報とは、図６の説明で後述する、選択マーク５８、標準マーク５９、新商品マーク６０、他上位マーク６１をいう。
【００３１】
図６は、表示部１７に表示された商品の発注画面の一例である。図６において、表示部１７に表示された発注画面は、発注情報一覧部５１と発注情報入力部７１とを有する。発注情報一覧部５１は、分類表示部５２、商品情報表示部５３、ページ送りキー５４、段落送りキー５５、発注合計数表示部５６、推奨値反映キー６２等を表示する。ページ送りキー５４と段落送りキー５５は、表示部１７に表示された発注情報を上下方向にスクロールするときに操作する。
【００３２】
分類表示部５２には、商品情報表示部５３に表示する商品情報に共通する分類が表示される。商品情報表示部５３には、分類表示部５２に表示された分類に属する複数の商品の商品名称、容量等の商品情報が表示される。また、商品情報表示部５３は、発注数部６３を有し、発注数部６３には、当該商品の発注数が表示される。また、商品情報表示部５３は、推奨発注数部６４を有する。推奨発注数部６４には、当該商品の発注数として推奨数がある場合は、当該商品が推奨商品である「推」の文字と、推奨発注数が表示される。
【００３３】
また、商品情報表示部５３には、必須マーク５７、選択マーク５８、標準マーク５９、新商品マーク６０、他上位マーク６１等の各種マークが表示される。
【００３４】
必須マーク５７は、発注情報テーブル３０の必須品部３８に記憶されているフラグが「１」の商品情報に対して表示される。すなわち、必須マーク５７は、当該商品が発注必須品である場合に、商品情報表示部５３に表示される。図６では、商品Ａが発注必須品である。
【００３５】
選択マーク５８は、発注情報テーブル３０の選択品部４０に記憶されているフラグが「１」の商品情報に対して表示される。すなわち、選択マーク５８は、当該商品が特売商品や販売注力品等の選択商品である場合に、商品情報表示部５３に表示される。図６では、商品Ａが選択商品である。
【００３６】
標準マーク５９は、発注情報テーブル３０の標準品部３９に記憶されているフラグが「１」の商品情報に対して表示される。すなわち、標準マーク５９は、当該商品が定番商品等の標準商品である場合に、商品情報表示部５３に表示される。図６では、商品Ｂ、商品Ｃ、商品Ｄ、商品Ｆが標準商品である。
【００３７】
新商品マーク６０は、発注情報テーブル３０の新商品部４２に記憶されているフラグが「１」の商品情報に対して表示される。すなわち、新商品マーク６０は、当該商品が最近新たに販売された新商品である場合に、一定期間（例えば３ヶ月間）商品情報表示部５３に表示される。図６では、商品Ｅが新商品である。
【００３８】
他上位マーク６１は、発注情報テーブル３０の他上位部４１に記憶されているフラグが「１」の商品情報に対して表示される。すなわち、他上位マーク６１は、当該商品が他店舗で売り上げ上位の商品である場合に、商品情報表示部５３に表示される。図６では、商品Ｇが他上位商品である。なお、上記の各マークは一例であり、他の商品の発注情報に関わる情報を表示してもよい。
【００３９】
推奨発注数部６４に表示された数値を、そのまま発注数としたい場合は、推奨値反映キー６２を操作する。すると、推奨発注数部６４に表示された数値が発注数部６３に表示される。
【００４０】
また、発注情報入力部７１は、商品発注に係る一商品の情報を表示し、かつ当該商品の発注情報を入力する画面を表示する。発注情報入力部７１には、商品情報表示部５３に表示された商品情報のうち、四角の太枠６５で囲まれた商品の詳細情報が表示される。図６では、商品Ａの詳細情報が表示されている。
【００４１】
発注情報入力部７１には、商品情報表示部７２、商品コード表示部７３、発注価格表示部７４、入数表示部７５、最小発注数表示部７６、発注個数表示入力部７７、画像表示部７８、過去データ部７９等が表示される。
【００４２】
商品情報表示部７２は、四角の太枠６５で囲まれた商品の商品名、容量、製造会社名等を表示する。商品コード表示部７３は、当該商品を特定する商品コードを表示する。発注価格表示部７４は、当該商品の１個あたりの発注価格を表示する。入数表示部７５は、当該商品が収納された箱等の単位で発注する場合、１箱に収納されている商品の個数を表示する。入数表示部７５が表示する最低数値は１である。最小発注数表示部７６は、発注可能な最小単位数を表示する。
【００４３】
発注個数表示入力部７７は、当該商品の発注個数を表示する。入数表示部７５に「１」以外の整数が表示されている場合は、箱の数等の単位数を入力する。「１」が表示されている場合は、発注数を直接入力する。商品Ａの場合、担当者は、箱単位で発注する。そのため、担当者は、発注個数表示入力部７７に、発注する箱の数を入力する。例えば図６では、２箱発注するため、「２」が入力されている。この数値「２」は、最小発注数表示部７６に表示された数値以上でなければならない。なお、入数表示部７５に表示されている数値に発注個数表示入力部７７に入力して表示された数値を乗算した数値が当該商品の発注数であり、この数値が発注数として発注数部６３に表示される。
【００４４】
画像表示部７８は、四角の太枠６５で囲まれた商品の商品画像を表示する。制御部１００は、画像情報部３３に記憶されている画像情報を読み出して、商品画像として画像表示部７８に表示する。
【００４５】
過去データ部７９は、四角の太枠６５で囲まれた商品に関する過去の種々のデータを日にち単位で複数日にち分を表示する。本実施の形態では、天気や気温の気象情報データ、一日の発注数、一日の販売数、一日の破棄数、一日の欠品数等である。一日の発注数は、発注数部３７に記憶されている一日の発注数情報に基づいて表示される。一日の販売数は、販売数部３４に記憶されている一日の販売数情報に基づいて表示される。一日の廃棄数は、廃棄数部３６に記憶されている一日の廃棄数情報に基づいて表示される。その他の数値は、過去データ部４４に記憶されている一日の各種情報に基づいて表示される。また、在庫数部８２は、当該商品の、店舗における在庫数を表示する。
【００４６】
なお、図６において、表示部１７には終了キー８１が表示されている。担当者は、商品発注操作を終了する場合は、終了キー８１を操作する。
【００４７】
担当者は、表示部１７に表示された商品の発注画面を見ながら商品の発注操作を行う。そのとき、発注情報一覧部５１の商品情報表示部５３に表示された商品情報のうち、発注必須品の商品情報について、発注必須品であることを示す必須マーク５７が、商品情報に付記して表示される。したがって、発注業務を行う担当者は、表示部１７に表示された発注情報から、発注を行う発注商品を指定する。このとき担当者は、発注必須品については、表示された必須マーク５７を見て当該商品の発注操作を行う。そのため担当者は、当該商品の発注をし忘れることがない。
【００４８】
また、推奨値反映キー６２は、当該商品の発注数が推奨値である場合、推奨値反映キー６２を操作するだけで、当該商品の発注数を入力することができるため、発注に係る担当者の操作回数を低減することができる。
【００４９】
図５の説明に戻る。制御部１００は、発注必須品を含んでいないと判断した場合は（ステップＳＰ２４のＮｏ）、ステップＳＰ２５と同様の処理を実行してステップＳＰ２７に移る。また、制御部１００は、発注情報を記憶していないと判断した場合は（ステップＳＰ２２のＮｏ）、制御部１００は、エラー表示を実行して（ステップＳＰ２９）処理を終了する。
【００５０】
また、制御部１００は、商品の発注業務を行うのではないと判断した場合は（ステップＳＰ２１のＮｏ）、制御部１００は、一商品が選択されたか否かを判断する（ステップＳＰ３１）。この判断は、担当者が一つの商品を選択し、当該商品の商品情報が、四角の太枠６５で囲まれた表示がされたか否かで判断する。一商品が選択されたと判断した場合は（ステップＳＰ３１のＹｅｓ）、制御部１００は、選択された商品情報の詳細情報を発注情報入力部７１に表示する（ステップＳＰ３２）。そして、図７に示す発注入力処理を実行する（ステップＳＰ３３）。
【００５１】
図７は、ＧＯＴ５の発注入力処理の流れを示すフローチャートである。図７において、制御部１００は、発注個数表示入力部７７に発注個数が入力されたか否かを判断する（ステップＳＰ４１）。発注個数が入力されたと判断した場合は（ステップＳＰ４１のＹｅｓ）、制御部１００は、入力された発注個数に基づいて発注数を算出して発注数部６３に表示する（ステップＳＰ４２）。そして、制御部１００は、ステップＳＰ４１に戻る。発注個数が入力されたのではないと判断した場合は（ステップＳＰ４１のＮｏ）、制御部１００は、推奨値反映キー６２が操作されたか否かを判断する（ステップＳＰ５１）。操作されたと判断した場合は（ステップＳＰ５１のＹｅｓ）、制御部１００は、推奨発注数部６４に表示されている推奨値を発注数部６３に表示する（ステップＳＰ５２）。そして、制御部１００は、ステップＳＰ４１に戻る。推奨値反映キー６２が操作されたのではないと判断した場合は（ステップＳＰ５１のＮｏ）、制御部１００は、終了キー８１が操作されたか否かを判断する（ステップＳＰ６１）。操作されるまで待機して、ステップＳＰ４１やステップＳＰ５１の判断を実行し（ステップＳＰ６１のＮｏ）、終了キー８１が操作されたと判断した場合は（ステップＳＰ６１のＹｅｓ）、制御部１００は、ステップＳＰ３４の処理に移る。
【００５２】
図５の説明に戻る。制御部１００は、ステップＳＰ３３における発注情報の入力が終了した後、発注キー（図示せず）が操作されたか否かを判断する（ステップＳＰ３４）。操作されるまで待機し（ステップＳＰ３４のＮｏ）、操作されたと判断した場合は（ステップＳＰ３４のＹｅｓ）、制御部１００（発注手段１０３）は、今回の発注に係る情報に基づいて発注処理を実行する（ステップＳＰ３５）。発注処理された情報は、ＧＯＴ５からストアサーバ３に送信される。ストアサーバ３は、ＧＯＴ５から受信した当該発注情報をセンターサーバ１に送信する。これにより、ＧＯＴ５から商品が発注される。
【００５３】
そして、制御部１００は、発注処理を実行した発注情報に基づいて、発注情報テーブル３０の各情報を更新して発注処理を終了する（ステップＳＰ３６）。
【００５４】
このように、本実施の形態によれば、発注情報一覧部５１の商品情報表示部５３に、発注必須品であることを示す必須マーク５７が商品情報に付記して表示されるため、発注業務を行う担当者は、当該商品の発注をし忘れることがない。
【００５５】
また、本実施の形態によれば、推奨値反映キー６２を操作するだけで、当該商品の発注数を入力することができるため、発注に係る担当者の操作回数を低減することができる。
【００５６】
また、本実施の形態によれば、商品情報表示部５３に、必須マーク５７とともに、選択マーク５８、標準マーク５９、新商品マーク６０、他上位マーク６１等の各種マークが表示されるため、商品を発注する際に参考となる。
【００５７】
なお、本実施の形態は、例として提示したものであり、発明の範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形は、発明の範囲や要旨に含まれるとともに、特許請求の範囲に記載された発明とその均等の範囲に含まれる。
【００５８】
例えば、本実施の形態では、商品情報表示部５３に必須マーク５７を表示させることで、発注必須品に対応する発注情報を他の発注情報と異ならせたが、他の方法で異ならせることも可能である。例えば、発注必須品に係る発注情報の表示（商品名等の表示色や表示文字の形態）を他の発注情報と異ならせたり、発注必須品に係る発注情報の表示領域の色を他の発注情報の表示領域と異ならせたりしてもよい。
【００５９】
また、本実施の形態において、上記の各種マークは表示の一例であり、商品の発注情報に関わる他のマークを表示してもよい。
【００６０】
なお、本実施の形態の商品発注装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００６１】
また、本実施の形態の商品発注装置で実行されるプログラムを、インターネット等のネットワークに接続されたコンピュータ上に格納し、ネットワーク経由でダウンロードさせることにより提供するように構成してもよい。また、本実施の形態の商品発注装置で実行されるプログラムをインターネット等のネットワーク経由で提供または配布するように構成してもよい。
【００６２】
また、本実施の形態の商品発注装置で実行されるプログラムを、ＲＯＭ等に予め組み込んで提供するように構成してもよい。
【符号の説明】
【００６３】
１００  制御部
１０１  表示制御手段
１０２  発注手段
【先行技術文献】
【特許文献】
【００６４】
【特許文献１】特開平５−２９８３３５号公報
【図１】
2014170460.tif 000003
【図２】
2014170460.tif 000004
【図３】
2014170460.tif 000005
【図４】
2014170460.tif 000006
【図５】
2014170460.tif 000007
【図６】
2014170460.tif 000008
【図７】
2014170460.tif 000009